(57)【要約】【課題】内部容器の取り出しを、前方に配置されたベッド等の位置に左右されることなく取り出し自在とし、かつ、要介護者の排便終了時のお尻の始末が容易なこと。【解決手段】椅子部２に取り付けられた外部容器６０内に収容された内部容器５０が、外部容器６０の後部開口６２側から取り出して、持ち運び自在となっているから、ベッドとポータブルトイレ１との位置関係が任意に設定できる。また、要介護者が座部４０に座ったままでも、外部容器６０の後部開口６２側から取り出すことによって、着座状態にある要介護者のお尻まで手を届かせることができ、要介護者の排便終了時のお尻の始末が自由になり、要介護者の排便終了時にお尻を拭くために少し前のめりにかがませ、ポータブルトイレ１とお尻の間の隙間から手を差し入れてお尻を拭く必要がなくなり、双方にとって精神的・肉体的負担が軽減される。【選択図】図２
2008073294.tif 000002
【特許請求の範囲】
【請求項１】
上部に開口部が形成され、かつ、着座自在な座部及び後部開放部が設けられた椅子部と、
前記椅子部の座部の開口部側に対向して開口する上部開口を有すると共に、その後方側にも開口する後部開口を有し、前記椅子部に取り付けられた外部容器と、
前記外部容器内に収容され、前記外部容器の後部開口側からの取り出し及び取り付け、持ち運び自在な内部容器と
を具備することを特徴とするポータブルトイレ。
【請求項２】
上部に開口部が形成され、かつ、着座自在な座部及び後部開放部が設けられた椅子部と、
前記椅子部の座部の開口部側に対向して開口する上部開口を有すると共に、その後方側にも開口する後部開口を有し、前記椅子部に取り付けられた外部容器と、
前記外部容器内に収容され、前記外部容器の上部開口側と前記外部容器の後部開口側からの取り出し及び取り付け、持ち運び自在な内部容器と
を具備することを特徴とするポータブルトイレ。
【請求項３】
前記椅子部には、前記内部容器を取り出すとき、その摺動移動距離を特定する補助部材を具備することを特徴とする請求項１または請求項２に記載のポータブルトイレ。
【請求項４】
前記椅子部の座部は、前記外部容器の上部開口に対して開閉自在としたことを特徴とする請求項１乃至請求項３の何れか１つに記載のポータブルトイレ。
【請求項５】
前記外部容器は、その後部開口の下側の端部が、少なくともその一部の底部上面よりも高く形成されたことを特徴とする請求項１乃至請求項４の何れか１つに記載のポータブルトイレ。
【請求項６】
前記補助部材は、下端部が前記椅子部の前記後部開放部の下側にヒンジ結合されて前記後部開放部を開閉する化粧パネルの上端部に設けられていることを特徴とする請求項３乃至請求項５の何れか１つに記載のポータブルトイレ。
【請求項７】
前記化粧パネルの内面には、一対のレール部材が設けられ、前記化粧パネルが開放されて略水平状態にされた後、前記内部容器は前記一対のレール上を滑動することを特徴とする請求項６に記載のポータブルトイレ。
【請求項８】
前記椅子部には、肘掛部及び／または背凭れ部が設けられていることを特徴とする請求項１乃至請求項７の何れか１つに記載のポ一夕ブルトイレ。
【発明の詳細な説明】
【技術分野】
【０００１】
本発明は、ポータブルトイレに関するもので、特に、排泄物（大便・小便）を収容する内部容器が取り出し可能なポータブルトイレに関するものである。
【背景技術】
【０００２】
近年、高齢者時代の到来とともに在宅の寝たきり老人の介護が大きな社会問題となりつつある。この介護に際しては、特に、排泄物の処理が問題である。このような事情に鑑み、寝室、病室等の室内に家具の如く置いておくことができるポータブルトイレが各種市販されるようになってきた。これらのポータブルトイレは、例えば、特許文献１に開示されるように、便座の下側に排泄物を収容する内部容器が配置される。そして、要介護者の排泄物が、この内部容器内に落下するようになっている。この排泄物を収容する内部容器は、介護者が適宜内部容器を取り出し、トイレルーム等にて処理している。
【０００３】
また、特許文献２は、ポータブルトイレ用内部容器において、把手を持ち上げたとき、容器本体内に排泄された排泄物の重みにより前記容器本体が回動しないように、回動阻止手段を設けたものを開示している。
【特許文献１】特開２００２−２８２１６４
【特許文献２】特開２００６−９４８８６
【発明の開示】
【発明が解決しようとする課題】
【０００４】
上記特許文献１及び特許文献２の技術は、ポータブルトイレ用内部容器をトイレ本体から前方または上方に取り出している。ところが、介護老人のベッドとポータブルトイレとの位置関係は、介護老人のベッドの近い位置にポータブルトイレの前面が位置している。特に、足腰が弱っている人の場合には、その間の距離も比較的近く設定されている。したがって、ポータブルトイレ用内部容器をトイレ本体から前方に取り出すには、トイレ本体の後退移動が必要となる。
また、介護者は、要介護者の排便終了時にお尻を拭くのに、少し前のめりにかがませ、トイレとお尻の間の隙間から手を差し入れて拭く必要があり、介護者及び要介護者の双方にとって肉体的及び精神的にきつい対応となる。
そして、要介護者が排便し終えたかどうかは、介護者が要介護者に直接尋ねるか、介護者が要介護者を一旦立ち上がらせてから確認せねばならなかった。
【０００５】
そこで、この発明はかかる不具合を解決するためになされたもので、ポータブルトイレ用内部容器の取り出しを、前方に配置されたベッド等の位置に左右されることなく取り出し自在とし、かつ、要介護者の排便終了時の確認、お尻の始末が容易なポータブルトイレの提供を課題とするものである。
【課題を解決するための手段】
【０００６】
請求項１または請求項２にかかるポータブルトイレは、肘掛部及び背凭れ部及び脚部、開口部を設けた着座自在な座部を有する椅子部と、前記椅子部の座部の開口側に対向して開口すると共に、その後方側にも開口する前記椅子部に取り付けられた外部容器と、前記外部容器内に収容され、前記外部容器の後部開口側から取り出し及び取り付け、持ち運び自在な内部容器とを具備するものである。
ここで、椅子部の肘掛部、背凭れ部は、要介護者の体重、体形、身長等の肉体的条件に対して決定される強度、臀部の位置決めとしての機能を有するものである。
開口部を設けた座部とは、座部が便座自体を構成していてもよいし、また、座部の開口付近が便座を形成する形態であってもよい。勿論、座部の開口部が下部に位置する便座の開口よりも大きい開口とする場合もある。何れにせよ、着座可能な座部を形成すればよい。そして、上記椅子部に取り付けられた外部容器は、直接排泄物を収容するものではなく、内部容器を所定の位置に定めるものであり、できるだけ定位置に導き、前記外部容器と前記内部容器との間の隙間をなくし、前記外部容器の外に臭気が出難くするものである。しかし、要介護者が前記内部容器の収容された状態と思って、使用してしまった場合も想定されるから、前記外部容器は、直接、数回程度の排泄物を収容可能な構造が望ましい。
殊に、請求項１の上記内部容器は、少なくとも、後部開口側から取り出し及び取り付け、持ち運び自在な構造であればよい。また、請求項２の上記内部容器は、前記外部容器内に収容自在であり、そして、前記外部容器の後部開口側から、上部開口側から取り出し及び取り付け、持ち運び自在なものであればよい。
【０００７】
請求項３にかかるポータブルトイレの前記椅子部には、前記内部容器を取り出すときには、その摺動移動距離を特定止する補助部材を具備するものである。
ここで、補助部材は、前記内部容器を摺動して取り出すときの移動距離を特定するものであり、持ち上げたときの移動距離を特定するものではなく、所定の範囲内からは移動しないように設定するものであればよい。好ましくは、前記内部容器の収容状態で前記内部容器の必要以上の移動を阻止する構成とすると、前記内部容器が前記外部容器の所定の位置から移動しないように設定でき、前記内部容器の全体の移動を拘束することができる。
【０００８】
請求項４にかかるポータブルトイレの前記椅子部の開口部を設けた座部は、前記外部容器の上部開口に対して開閉自在としたものである。
ここで、上記座部の前記外部容器の上部開口に対して開閉自在の構造とは、前記内部容器を前記外部容器から取り出すとき、後方のみでなく、上方にも取り出せるものであればよい。
【０００９】
請求項５にかかるポータブルトイレの前記外部容器は、その後部開口の下側の端部が、少なくともその一部の底部上面よりも高く形成されたものであり、前記端部が少なくともその一部の底部上面よりも高く形成されとは、内部容器の収納されていない状態で数回の排泄物を受けても、室内を汚染することがない容積の形成を意味する。
【００１０】
請求項６にかかるポータブルトイレの前記補助部材は、下端部が前記椅子部の前記後部開放部の下側にヒンジ結合されて前記後部開放部を開閉する化粧パネルの上端部に設けられている。
【００１１】
請求項７にかかるポータブルトイレの前記化粧パネルの内面に一対のレール部材が設けられ、前記化粧パネルが開放されて略水平状態にされた後、前記内部容器は前記一対のレール上を滑動するようにしたものである。
【００１２】
請求項８にかかるポータブルトイレの前記椅子部には、肘掛部及び／または背凭れ部が設けられているものである。
【発明の効果】
【００１３】
請求項１のポータブルトイレによれば、開口部を設けた座部を有する着座自在な椅子部は、前記椅子部に取り付けられた外部容器内に収容された内部容器が、前記外部容器の後部開口側から取り出して、持ち運び自在となっているから、ベッドとポータブルトイレとの位置関係が任意に設定できる。また、要介護者が前記座部に座ったままでも、前記外部容器の後部開口側から取り出すことによって、着座状態にある要介護者のお尻まで手を届かせることができ、要介護者の排便終了時のお尻の始末が自由になり、要介護者の排便終了時にお尻を拭くために少し前のめりにかがませ、座部とお尻の間の隙間から手を差し入れてお尻を拭く必要がなくなり、双方にとって精神的・肉体的負担が軽減される。そして、要介護者は座ったままの姿勢でお尻を拭いてもらえるのでお尻が開いており、お尻が清潔に保てる。当然ながら、要介護者が排便し終えたかどうかは、介護者が要介護者に直接尋ねなくても、介護者が要介護者を一旦立ち上がらせなくても確認できる。
【００１４】
請求項２のポータブルトイレによれば、上記内部容器が前記外部容器内に収容され、前記外部容器の上部開口側及び前記外部容器の後部開口側から取り出し及び取り付け、持ち運び自在なものであるから、請求項１の効果、即ち、前記座部する着座自在な椅子部は、前記椅子部に取り付けられた外部容器内に収容された内部容器が、前記外部容器の後部開口側から取り出し及び取り付け、持ち運び自在となっているから、ベッドとポータブルトイレとの位置関係が任意に設定できる。また、要介護者が前記座部に座ったままでも、前記外部容器の後部開口側から取り出すことによって、着座状態にある要介護者のお尻まで手を届かせることができ、要介護者の排便終了時のお尻の始末が自由になり、要介護者の排便終了時にお尻を拭くために少し前のめりにかがませ、座部とお尻の間の隙間から手を差し入れてお尻を拭く必要がなくなり、双方にとって精神的・肉体的負担が軽減される。そして、要介護者は座ったままの姿勢でお尻を拭いてもらえるのでお尻が開いており、お尻を清潔に保てる。当然ながら、要介護者が排便し終えたかどうかは、介護者が要介護者に直接尋ねなくても、介護者が要介護者を一旦立ち上がらせなくても確認できる。
更に、設置環境または必要に応じて、上記内部容器が前記外部容器の上部開口側及び前記外部容器の後部開口側から取り出し、持ち運び自在なものであるから、前記内部容器の取り出し自由度が高く、ポータブルトイレの設置自由度が高くなるという効果がある。
【００１５】
請求項３のポータブルトイレによれば、前記椅子部には、前記内部容器を取り出すとき、その摺動移動距離を特定する補助部材を具備するものであるから、請求項１または請求項２に記載の効果に加えて、前記内部容器を取り出すときの目安となり、ポータブルトイレに不慣れな介護者であっても、前記内部容器の取り扱いを誤ることがない。
【００１６】
請求項４のポータブルトイレの前記椅子部の開口部を設けた座部は、前記外部容器の上部開口に対して開閉自在としたものであるから、請求項１乃至請求項３の何れか１つに記載の効果に加えて、前記外部容器の上部開口から前記内部容器を取り出すことができ、ポータブルトイレの配置自由度を高めることができる。
【００１７】
請求項５にかかるポータブルトイレの前記外部容器は、その後部開口の下側の端部が、少なくともその一部の底部上面よりも高く形成され、前記内部容器を前記外部容器に収納または取り出し自在としたものであり、間違って、前記内部容器を外しているときに、内部容器の収納されていない状態で排泄物を出しても、室内を汚染することがない。
【００１８】
請求項６にかかるポータブルトイレの前記補助部材は、下端部が前記椅子部の前記後部開放部の下側にヒンジ結合されて前記後部開放部を開閉する化粧パネルの上端部に設けられているから、請求項３乃至請求項５の何れか１つに記載の効果に加えて、座部の後部の調節を補助部材の幅で行うことができ、見栄えのよい処理ができる。
【００１９】
請求項７にかかるポータブルトイレの前記化粧パネルの内面に一対のレール部材が設けられ、前記化粧パネルが開放されて略水平状態にされた後、前記内部容器は前記一対のレール上を滑動するようにしたものであるから、請求項１の効果に加えて、一対のレール上を前記内部容器が滑動するから、前記化粧パネルの内面に摺動による傷が付かないから、その見栄えの良さを継続できる。
【００２０】
請求項８にかかるポータブルトイレの前記椅子部には、肘掛部及び／または背凭れ部が設けられているものであるから、請求項１乃至請求項７の何れか１つに記載の効果に加えて、要介護者の身体の安定を維持しやすくなる。
【発明を実施するための最良の形態】
【００２１】
以下、本発明の実施の形態について、図面に基づいて説明する。
[実施の形態１]
【００２２】
図１は本発明の実施の形態１におけるポータブルトイレの構成を示す斜視図、図２は本発明の実施の形態１におけるポータブルトイレの構成部品を示す分解斜視図、図３は本発明の実施の形態１におけるポータブルトイレの断面構成を示す説明図、図４は本発明の実施の形態１におけるポータブルトイレを側面からみた説明図、図５は本発明の実施の形態１におけるポータブルトイレを平面からみた説明図、図６は本発明の実施の形態１におけるポータブルトイレを背面からみた説明図、図７は本発明の実施の形態１におけるポータブルトイレの後部化粧パネルを開放した状態を示す説明図である。図８は本発明の実施の形態１におけるポータブルトイレの後部化粧パネルを開放して内部容器を引き出した状態を示す説明図である。そして、図９は本発明の実施の形態１におけるポータブルトイレの内部容器の側面図、図１０は本発明の実施の形態１におけるポータブルトイレの内部容器と外部容器との関係を示す要部断面図である。図１１は本発明の実施の形態１におけるポータブルトイレの他の事例の後部化粧パネルを開放した状態を示す斜視図、図１２は本発明の実施の形態１におけるポータブルトイレの他の事例の後部化粧パネルを開放した状態を示す要部説明図である。
【００２３】
図において、木材または合成樹脂等で形成される椅子部２の基本的構成は、公知の椅子の肘掛に相当する機能を有する肘掛部１０と、公知の椅子の背凭れに相当する機能を有する背凭れ部２０と、同じく公知の椅子の脚に相当する機能を有する脚部３０、公知の椅子と相違する略中央に開口を設けた着座自在な座部４０を有する。
【００２４】
肘掛部１０は、普通、両側に配設されるが、片側のみ取り外し自在とすること、要介護者等の使用者の運動能力、身長に応じて、高くまたは低く設定されるものである。本発明を実施する場合には、肘掛部１０の変形自在を意味するものではなく、肘掛の基本的形態を有するもので、人が側方に倒れないようにアシストできればよい。
【００２５】
背凭れ部２０は、後方に移動したり、倒れたりするのを受け止めるものであるが、要介護者の体型によって、高くまたは低く設定されるものであり、必ずしも凭れることを前提とするものではなく、人が後方に倒れないようにアシストできればよい。しかし、信頼性を高めるには、椅子部の肘掛部、背凭れ部は、要介護者の体重、体形、身長等の肉体的条件に対して決定される強度、臀部の位置決めとしての機能を有するものの使用が望ましい。
【００２６】
脚部３０は、着座自在な座部４０を所定の高さにするものであり、独立した脚を有することを前提とするものではなく、肘掛部１０の構成部材と、その構成部材を共通にすることもできる。通常、介護者等の身長に応じて、任意の高さに調節できるように、伸縮調節できる機構を設けるのが好適であるが、特定長に固定とすることもできる。
【００２７】
着座自在な座部４０は、略中央に開口を設けた便座としても機能し、排泄物の通過する開口部４１を有する。開口部４１は、内部容器５０の内容器蓋５１がそのまま、または折り畳んだ状態で取り出せる程度の面積の開口となっており、公知の便座の開口面積に近いものである。内部容器５０は脚部３０と座部４０とで囲まれた空間内に収容された外部容器６０内に収容配置される。外部容器６０は上部開口６１及び後部開口６２を有し、内部容器５０とは相違し、外部容器６０は上部開口６１から上下方向に内部容器５０の挿脱自在とし、また、後部開口６２は後部開口６２から前後方向に内部容器５０の挿脱を自在とするものである。
【００２８】
また、椅子部２には、その後方に後部化粧パネル７０を配設している。後部化粧パネル７０は、椅子部２の脚部３０の相互間に生じる開口に対して、脚部３０の相互間下部に配設したヒンジ等の軸７３で軸支され、略水平から略直角に回動し、略水平のとき、内部容器５０を外部容器６０から引き出し可能とし、略直角のとき外部容器６０の後部開口６２を外部から見えなくしている。
【００２９】
本実施の形態の後部化粧パネル７０は、パネル本体７１とそれに対して直角に形成した補助部材７２とを有している。パネル本体７１の外表面は、意匠面となっており、内側の面は内部容器５０の底面が摺動自在な形態になっている。このため、パネル本体７１の内側の面は、樹脂加工面とし、前後方向に並行する線条とすることができる。補助部材７２は、略水平位置のとき、内部容器５０を外部容器６０から引き出しても、内部容器５０がその内側の面から外れることのないようにストッパ機能を持たせている。また、略直角位置のとき、着座自在な座部４０とパネル本体７１との間の間隙を覆う機能を持たせている。
【００３０】
また、椅子部２には、前方の脚部３０の相互間と着座自在な座部４０の下部との間の空間を覆う前面化粧パネル３を配設している。また、椅子部２の脚部３０の左右の面にも脚相互間と着座自在な座部４０の下部との間の空間を覆う右面化粧パネル４及び左面化粧パネル５を配設している。
【００３１】
更に、本実施の形態におけるポータブルトイレ１の要部構成について詳述する。
座部４０は、椅子部２の後部に軸支されて約９０度から１３０度程度の角度が回動自在に配設されている。椅子部２の後部に軸支されている座部４０には、その下部には機械的強度を上げる補助基板４２が一体に配設されている。即ち、着座自在な座部４０は、略中央に開口部４１を設けた便座として機能し、その下層には、機械的強度を増すための合成樹脂または木材等からなる補助基板４２が配設されている。したがって、座部４０の開閉は、補助基板４２と共に回動する。
また、座部４０と補助基板４２との間には、軟質合成樹脂から形成されたガイド４３が配設されている。
【００３２】
座部４０が背凭れ部２０側に回動したとき、椅子部２の肘掛部１０相互間と前面化粧パネル３との間には、それらと固定されている補強材６が露出される。背凭れ部２０側が開口している補強材６は、合成樹脂で形成され、上面からみて少なくとも開口が略Ｕ字状を呈している。この略Ｕ字状の開口の内面には、その内面形状に沿って外部容器６０の上部開口６１の段部が載置されている。本実施の形態では、補強材６と外部容器６０とを別々に成形し、それを一体化したものであるが、本発明を実施する場合には、補強材６と外部容器６０を一体に成形してもよい。このときには、補強材６は外部容器６０の上部開口６１となる。
【００３３】
外部容器６０は、その水平断面が上面からみて略Ｕ字状の開口により、上方向及び後部方向に開口している。外部容器６０の底部６３の上面は、部分的に高い位置ｂと低い位置ａがあり、内部容器５０が収容されたときには、部分的に高い位置ｂがその底面を受ける形態となっている。この部分的に高い位置ｂの高さは、後部化粧パネル７０を開いたときの内面側の高さに略等しく設定される。また、外部容器６０の後部開口６２の下端６４は、部分的に高い位置ｂと略等しいか、それ以下の高さに設定されるが、部分的に低い位置ａよりも高く設定される。ここで部分的に高い位置ｂと略等しいとは、外部容器６０の後部開口６２から内部容器５０を引き出すとき、内部容器５０がスムーズに外部容器６０の部分的に高い位置ｂの上面を摺動し、後部化粧パネル７０の内面の移動に変化するものであればよい。
【００３４】
但し、外部容器６０の底部６３の上面の部分的に高い位置ｂと低い位置ａは、要介護者等の使用者が、内部容器５０の存在を前提に使用したとき、それが存在しなかった場合でも、１回から５回程度以上の排泄物が収容できる容積として設定される。部分的に低い位置ａと下端６４の高さが設定される。
【００３５】
なお、上記本実施の形態のポータブルトイレ１においては、図１１及び図１２に示すように、化粧ネル７０のパネル本体７１の内面に一対のレール部材９０，９０を設けて、化粧パネル７０が開放されて略水平状態にされた後、内部容器５０が後方に引き出されるとき、内部容器５０が一対のレール９０，９０上を滑動するようにしても良い。これにより、化粧パネル７０のパネル本体７１の内面の損傷が防止され、常に見栄えのよい状態が維持できる。
【００３６】
外部容器６０に収容される内部容器５０は、合成樹脂等で形成され、その開口部５４は不使用時には内容器蓋５１で閉塞され、そのシール性を良くしている。内部容器５０は、容器本体５２と把手５３とを備える。把手５３は逆Ｕ字型をなしており、その遊端部は、容器本体５２の長手方向の略外面中央部に一体のピンで回転自在に連結されている。したがって、把手５３を持つと、容器本体５２の下部にある重心位置によって、安定した位置を保つものである。内部容器５０の底部６３の下面は、外部容器６０との摺動が可能なように平滑面または小突起面または前後方向に長い案内溝として形成される。
【００３７】
このように構成される本実施の形態におけるポータブルトイレ１は、次のように使用することができる。
まず、肘掛部１０、背凭れ部２０、脚部３０、略中央に開口部４１を設けた着座自在な座部４０を有する椅子部２には、その椅子部２の肘掛部１０相互間と前面化粧パネル３との間に補強材６、脚部３０には右面化粧パネル４と左面化粧パネル５が配設され、堅固に一体化されている。更に、補強材６には、外部容器６０が取り付けられている。
後部の脚部３０の相互間には後部化粧パネル７０がヒンジ等の軸７３で回動自在に軸支され、外部容器６０の後部開口６２を外部から見えなくしている。
【００３８】
この状態で後部化粧パネル７０を略水平に開き、内容器蓋５１を被せた内部容器５０を後部開口６２から外部容器６０に装着し、その後、内容器蓋５１を被せた内部容器５０を外部容器６０の所定の位置に設置した状態で、その状態を維持すべく、後部化粧パネル７０を閉じる。または、座部４０を背凭れ部２０側に回動させて、内容器蓋５１を被せた内部容器５０を上部から外部容器６０に装着し、その後、座部４０を背凭れ部２０側から水平方向に倒し、上からは内部容器５０に被せた内容器蓋５１のみを見えるようにする。
【００３９】
ポータブルトイレ１が使用されない時は、内部容器５０の開口部５４が内容器蓋５１で閉塞され、このような状態で、座部４０が所定の配置に設置される。
ポータブルトイレ１を使用する場合、即ち、要介護者が排泄しようとする場合、要介護者または介護者は、内容器蓋５１を取り外し、内部容器５０の開口部５４を開放状態とする。そして、要介護者が座部４０に着座して排泄すると、排泄物は内部容器５０内に収容される。
【００４０】
このような一連の排泄行為が終了すると、内部容器５０内に収容される排泄物をトイレ室の便器または汚物流しに捨てる必要があるので、介護者は椅子部２の後部にある後部化粧パネル７０の内面が略水平になるまで開き、内容器蓋５１を被せた内部容器５０を外部容器６０の後部に引き出し、その後、内部容器５０を後部化粧パネル７０の内面上側を摺動させ、外部容器６０側から内部容器５０を離し、後部化粧パネル７０の内面上に引き出してきた後、容器本体５２の把手５３を持って内部容器５０内に収容される排泄物をトイレ室の便器に捨てることができる。
【００４１】
このとき、ポータブルトイレ１の前面化粧パネル３をベッド等の近傍に設置しても、内部容器５０の取り出しを椅子部２の後方から行うことができるので、前方に配置されたベッド等の位置に左右されることなく取り出し自在とすることができる。
しかも、要介護者の排便終了時のお尻の始末が、ポータブルトイレ１の後部化粧パネル７０を開放することによって自在となるから、要介護者は配設終了後にそのままの姿勢を維持しておれば、介護者からお尻の始末を受けることができる。当然ながら、要介護者が排便し終えたかどうかは、介護者が要介護者に直接尋ねなくても、介護者が要介護者を一旦立ち上がらせなくても確認できる。
【００４２】
また、本実施の形態においては、要介護者の排便終了時のお尻の始末が終了した後は、内容器蓋５１を被せ、ポータブルトイレ１の座部４０を背凭れ部２０側に回動させて、外部容器６０から内部容器５０を上部に取り出し、内部容器５０内に収容される排泄物をトイレ室の便器または汚物流しに捨てることができる。
【００４３】
このように、本実施の形態のポータブルトイレ１は、肘掛部１０及び背凭れ部２０及び脚部３０、開口部４１を設けた座部４０を有し、座部４０する着座自在な椅子部２と、椅子部２の座部４０の開口部４１側に対向して開口すると共に、その後方側にも開口する椅子部２に取り付けられ、後方側の後部開口６２の下端よりも部分的に低い位置ａの底面を有する外部容器６０と、外部容器６０内に収容され、外部容器６０の後部開口６２側から取り出し及び取り付け、持ち運び自在な内部容器５０とを具備するものである。
【００４４】
なお、本実施の形態のポータブルトイレ１として、肘掛部１０及び背凭れ部２０及び脚部３０、開口部４１を設けた座部４０を有し、座部４０する着座自在な椅子部２の事例で説明したが、本発明を実施する場合には、肘掛部１０及び背凭れ部２０及び脚部３０、開口部４１を設けた座部４０を有し、座部４０する着座自在な椅子部２を上部に開口部４１が形成され、かつ、着座自在な座部４０及び後方が後部化粧パネル７０で解放されるように後部開放部８０が設けられた椅子部２であればよい。
即ち、椅子部２には、肘掛部１０及び背凭れ部２０は必ずしも要件ではなく、後方が後部化粧パネル７０で解放されるように後部開放部８０が設けられておればよい。
【００４５】
本実施の形態のポータブルトイレ１によれば、肘掛部１０及び背凭れ部２０及び脚部３０、開口部４１を設けた座部４０を有し、座部４０する着座自在な椅子部２は、椅子部２に取り付けられた外部容器６０内に収容された内部容器５０が、外部容器６０の後部開口６２側から取り出して、持ち運び自在となっているから、ベッドとポータブルトイレ１との位置関係が任意に設定できる。
【００４６】
また、要介護者が座部４０に座ったままでも、外部容器６０の後部開口６２側から取り出すことによって、着座状態にある要介護者のお尻まで手を届かせることができ、要介護者の排便終了時のお尻の始末が自由になり、要介護者の排便終了時にお尻を拭くために少し前のめりにかがませ、座部４０とお尻の間の隙間から手を差し入れてお尻を拭く必要がなくなり、双方にとって精神的・肉体的負担が軽減される。そして、要介護者は座部４０に座ったままの姿勢でお尻を拭いてもらえるのでお尻が開いており清潔に保てる。そして、要介護者が排便し終えたかどうかは、介護者が要介護者に直接尋ねなくても、介護者が要介護者を一旦立ち上がらせなくても確認できる。
【００４７】
更に、外部容器６０は、後部開口６２側の開口の下端よりも部分的に低い位置ａとした底面を有するから、内部容器５０を外しているときに、排便、排尿をしても、外部容器６０から漏れることがない。
【００４８】
ここで、椅子部２の肘掛部１０、背凭れ部２０は、必ずしも、体重、体形に対して決定される強度を必要とするものではなく、臀部の位置決めとしてのみの機能を有するものでもよい。開口部４１を設けた座部４０とは、座部４０が便座を形成していてもよいし、また、座部４０の開口部４１付近が便座を形成する形態であってもよい。勿論、座部４０の開口が下部に位置する便座の開口よりも大きい開口とする場合もある。何れにせよ、着座可能な座部４０を形成すればよい。このため、座部４０は便座として構成することもできる。
【００４９】
また、椅子部２に取り付けられた外部容器６０は、直接排泄物を収容するものではなく、内部容器５０を所定の位置に定めるものであり、間違いなく定位置に導き、外部容器６０と内部容器５０との間の隙間をなくし、内容器蓋５１が開放されている使用中に、外部容器６０の外に臭気が出難くするものである。しかし、外部容器６０にあっても内部容器５０の収容された状態と思い、使用してしまった場合も想定されるから、直接、数回の排泄物を収容可能な構造が望ましい。
更に、本実施の形態の内部容器５０は、少なくとも、後部開口６２側から取り出し自在な構造であればよい。また、内部容器５０は、外部容器６０内に収容自在であり、そして、外部容器６０の後部開口６２側から、上部開口６１側から取り出し及び挿着自在なものであればよい。
【００５０】
内部容器５０は、外部容器６０の後部開口６２側から取り出し及び取り付け、持ち運び自在であれば、上部開口６１側から取り出しができない構造として実施することができる。
即ち、この実施の形態においても、ポータブルトイレ１として、内部容器５０が外部容器６０内に収容され、前外部容器６０の上部開口６１側及び外部容器６０の後部開口６２側から取り出し及び取り付け、持ち運び自在なものであるから、肘掛部１０及び背凭れ部２０及び脚部３０、開口部４１を設けた着座自在な座部４０を有する椅子部２は、椅子部２に取り付けられた外部容器６０内に収容された内部容器５０が、外部容器６０の後部開口６２側から取り出して、持ち運び自在となっているから、ベッドとポータブルトイレ１との位置関係が任意に設定できる。
【００５１】
また、先の実施の形態同様、要介護者が座部４０に座ったままでも、外部容器６０の後部開口６２側から取り出すことによって、着座状態にある要介護者のお尻まで手を届かせることができ、要介護者の排便終了時のお尻の始末が自由になり、要介護者の排便終了時にお尻を拭くために少し前のめりにかがませ、ポータブルトイレ１とお尻の間の隙間から手を差し入れてお尻を拭く必要がなくなり、双方にとって精神的・肉体的負担が軽減される。そして、要介護者は座ったままの姿勢でお尻を拭いてもらえるのでお尻が開いており清潔に保てる。特に、本実施の形態では、背凭れ部２０を上部のみに配設しているので、介護者は背凭れ部２０の下部空間から要介護者が座ったままの姿勢のお尻を拭くこともできる。
当然ながら、要介護者が排便し終えたかどうかは、介護者が要介護者に直接尋ねなくても、介護者が要介護者を一旦立ち上がらせなくても、確認ができる。
【００５２】
更に、本発明を実施する場合、外部容器６０は、後部開口６２側の開口の下端よりも低くした部分的に低い位置ａの底部６３の上面を有するから、内部容器５０を外しているときに、排便、排尿をしても、外部容器６０からそれらが漏れることがない。加えて、更に、設置環境または必要に応じて、内部容器５０が外部容器６０の上部開口６１側及び外部容器６０の後部開口６２側から取り出し、持ち運び自在なものであるから、内部容器５０の取り出し自由度が高く、ポータブルトイレ１の設置自由度が高くなる。
【００５３】
本実施の形態のポータブルトイレ１の後部化粧パネル７０は、内部容器５０を取り出すときに、その摺動移動距離を特定し、かつ、内部容器５０の収容状態では内部容器５０の必要以上の移動を阻止する補助部材７２を具備するものである。しかし、本発明を実施する場合の後部化粧パネル７０の補助部材７２は、内部容器５０を摺動して取り出すときの移動距離のみを特定するものであり、持ち上げたときの移動距離を特定するものではない。したがって、本実施の形態のポータブルトイレ１の椅子部２には、内部容器５０を取り出すときには、その摺動移動距離を特定する補助部材７２であればよい。
【００５４】
勿論、本実施の形態のポータブルトイレ１の後部化粧パネル７０の補助部材７２としては、内部容器５０を取り出すときに、その摺動移動距離を特定し、かつ、内部容器５０の収容状態で内部容器５０の必要以上の移動を阻止するのが望ましい。
また、内部容器５０の収容状態で内部容器５０の必要以上の移動を阻止するとは、内部容器５０が外部容器６０の所定の位置から移動しないように設定するものであり、内部容器５０の全体の移動を拘束するものではなく、所定の範囲内からは移動しないように設定するものであればよい。
【００５５】
本実施の形態のポータブルトイレ１の椅子部２には、内部容器５０を取り出すときには、その摺動移動距離を特定し、かつ、内部容器５０の収容状態では内部容器５０の必要以上の移動を阻止する補助部材７２を具備するものであるから、内部容器５０を取り出すときの目安となり、ポータブルトイレ１に不慣れな介護者であっても、内部容器５０の取り扱いを誤ることがない。
【００５６】
上記本実施の形態のポータブルトイレ１の椅子部２の開口部４１を設けた座部４０は、外部容器６０の上部開口６１に対して開閉自在としたものである。椅子部２の座部４０は、外部容器６０の上部開口６１に対して開閉自在としたものであるから、外部容器６０の上部開口６１から内部容器５０を取り出すことができ、ポータブルトイレ１の配置自由度を高めることができる。
【００５７】
上記本実施の形態のポータブルトイレ１の補助部材７２は、化粧パネル７０の下端部が椅子部２の後部開放部８０の下側にヒンジ等の軸７３で結合されて前記後部開放部８０を開閉する化粧パネル７０の上端部に設けられているから、座部４０の後部の調節を補助部材７２の幅で行うことができ、見栄えのよい処理ができる。
【００５８】
上記本実施の形態のポータブルトイレ１の化粧パネル７０の内面に一対のレール部材９０，９０が設けられ、化粧パネル７０が開放されて略水平状態にされた後、内部容器５０は一対のレール９０，９０上を滑動するようにしたものであるから、一対のレール９０，９０上を内部容器５０が滑動するから、化粧パネル７０の内面に摺動による傷が付かないから、その見栄えの良さを継続できる。
【００５９】
上記本実施の形態のポータブルトイレ１の椅子部２には、肘掛部１０及び／または背凭れ部２０が設けられているものであるから、要介護者の身体の安定を維持しやすくなる。
【産業上の利用可能性】
【００６０】
上記本実施の形態のポータブルトイレ１は、お尻の洗浄機能を有しないもので説明したが、本発明を実施する場合には、洗浄機構つきとして構成することもでき、座部４０に着座した使用者が排泄した後、所定の操作により、図示されないノズルから温水が使用者の肛門に噴射されて、洗浄がなされるように構成できる。
【図面の簡単な説明】
【００６１】
【図１】図１は本発明の実施の形態１におけるポータブルトイレの要部構成を示す斜視図である。
【図２】図２は本発明の実施の形態１におけるポータブルトイレの構成部品を示す分解斜視図である。
【図３】図３は本発明の実施の形態１におけるポータブルトイレの断面構成を示す説明図である。
【図４】図４は本発明の実施の形態１におけるポータブルトイレを側面からみた説明図である。
【図５】図５は本発明の実施の形態１におけるポータブルトイレを平面からみた説明図である。
【図６】図７は本発明の実施の形態１におけるポータブルトイレの後部化粧パネルを開放した状態を示す説明図である。
【図７】図７は本発明の実施の形態１におけるポータブルトイレの後部化粧パネルを開放した状態を示す説明図である。
【図８】図８は本発明の実施の形態１におけるポータブルトイレの後部化粧パネルを開放して内部容器を引き出した状態を示す説明図である。
【図９】図９は本発明の実施の形態１におけるポータブルトイレの内部容器の側面図である。
【図１０】図１０は本発明の実施の形態１におけるポータブルトイレの内部容器と外部容器との関係を示す要部断面図である。
【図１１】図１１は本発明の実施の形態１におけるポータブルトイレの他の事例の後部化粧パネルを開放した状態を示す斜視図である。
【図１２】図１２は本発明の実施の形態１におけるポータブルトイレの他の事例の後部化粧パネルを開放した状態を示す要部説明図である。
【符号の説明】
【００６２】
２      椅子部
３      前面化粧パネル
１０    肘掛部
２０    背凭れ部
３０    脚部
４０    座部
４１    開口部
５０    内部容器
５１    内容器蓋
５４    開口部
６０    外部容器
６１    上部開口
６２    後部開口
７０    後部化粧パネル
７１    パネル本体
７２    補助部材
８０    後部開放部
【図１】
2008073294.tif 000003
【図２】
2008073294.tif 000004
【図３】
2008073294.tif 000005
【図４】
2008073294.tif 000006
【図５】
2008073294.tif 000007
【図６】
2008073294.tif 000008
【図７】
2008073294.tif 000009
【図８】
2008073294.tif 000010
【図９】
2008073294.tif 000011
【図１０】
2008073294.tif 000012
【図１１】
2008073294.tif 000013
【図１２】
2008073294.tif 000014